(57)【要約】【課題】設計光軸に対するビームスプリッタ光軸角度を高精度に調整できる光ピックアップ装置、その組立方法およびその組立装置を提供すること。【解決手段】ハウジング１０と、このハウジング１０のビームスプリッタ取付位置に接着剤Ｓにて固定されるビームスプリッタ３と、ハウジング１０のビームスプリッタ取付位置に形成され、接着剤Ｓの未硬化状態において、突起棒４０を挿通させビームスプリッタ３の取付対向面に当接させて３次元方向に移動させることにより、ビームスプリッタ光軸の角度を３次元方向に調整する１つの貫通孔１４を有することを特徴とする光ピックアップ装置。【選択図】図４
2008269701.tif 000002
【特許請求の範囲】
【請求項１】
ハウジングと、このハウジングのビームスプリッタ取付位置に接着剤にて固定されるビームスプリッタと、前記ハウジングのビームスプリッタ取付位置に形成され、前記接着剤の未硬化状態において、突起棒を挿通させビームスプリッタの取付対向面に当接させて３次元方向に移動させることにより、ビームスプリッタ光軸の角度を３次元方向に調整する１つの貫通孔を有することを特徴とする光ピックアップ装置。
【請求項２】
前記貫通孔が、前記ハウジングのビームスプリッタ取付位置の中央に配置されている請求項１に記載の光ピックアップ装置。
【請求項３】
前記ハウジングに取付けられ、前記ビームスプリッタからの光を対物レンズ側に反射する立上げミラーをさらに備えた請求項１または２に記載の光ピックアップ装置。
【請求項４】
前記請求項１または２に記載の光ピックアップ装置を組み立てる光ピックアップ装置の組立方法であって、前記ハウジングのビームスプリッタ取付位置に接着剤を塗布する接着剤塗布工程と、接着剤を介してハウジングのビームスプリッタ取付位置にビームスプリッタを仮位置決め状態で設置するビームスプリッタ設置工程と、接着剤の未硬化状態においてビームスプリッタ光軸の位置を調整する調整工程とを備え、
前記調整工程が、ビームスプリッタに投光しその反射面で反射した光を検出しながら、ハウジングの前記貫通孔に前記突起棒を挿通させ、突起棒をビームスプリッタの取付対向面に当接させながら３次元方向に移動させることにより、ビームスプリッタ光軸の角度を３次元方向に調整する光ピックアップ装置の組立方法。
【請求項５】
前記請求項３に記載の光ピックアップ装置を組み立てる光ピックアップ装置の組立方法であって、前記ハウジングのビームスプリッタ取付位置に接着剤を塗布する接着剤塗布工程と、接着剤を介してハウジングのビームスプリッタ取付位置にビームスプリッタを仮位置決め状態で設置するビームスプリッタ設置工程と、接着剤の未硬化状態においてビームスプリッタ光軸の位置を調整する調整工程とを備え、
前記調整工程が、前記立上げミラーに投光しその反射光をビームスプリッタに入射させ、ビームスプリッタ反射面にて反射した光を反射ミラーに照射し、反射ミラーで反射した逆光をビームスプリッタにて反射させ、かつ立上げミラーにて反射させて検出しながら、ハウジングの前記貫通孔に突起棒を挿通させ、突起棒をビームスプリッタの取付対向面に当接させながら３次元方向に移動させることにより、ビームスプリッタ光軸の角度を３次元方向に調整する光ピックアップ装置の組立方法。
【請求項６】
前記請求項１または２に記載の光ピックアップ装置を組み立てる光ピックアップ装置の組立装置であって、前記ハウジングを支持する支持手段と、接着剤を介してハウジングのビームスプリッタ取付位置に仮位置決め状態で設置された前記ビームスプリッタに投光する投光手段と、この投光手段にて投光されビームスプリッタの反射面で反射した反射した光を検出する反射光検出手段と、接着剤の未硬化状態において、ビームスプリッタ光軸の角度を調整する調整手段とを備え、
前記調整手段が、ハウジングの前記貫通孔に挿通され、ビームスプリッタの取付対向面に当接してビームスプリッタ光軸の角度を３次元方向に調整させるべく３次元方向に移動する突起棒を有する光ピックアップ装置の組立装置。
【請求項７】
前記請求項３に記載の光ピックアップ装置を組み立てる光ピックアップ装置の組立装置であって、前記ハウジングを支持する支持手段と、接着剤を介してハウジングのビームスプリッタ取付位置に仮位置決め状態で設置された前記ビームスプリッタに投光する投光手段と、この投光手段にて投光され前記立上げミラーを回折してビームスプリッタに入射し、ビームスプリッタの反射面を反射した光をビームスプリタに向けて反射する反射ミラーと、前記投光手段と一体状に設けられ、かつ前記反射ミラーからビームスプリッタおよび立上げミラーを経由する逆光を検出する逆光検出手段と、接着剤の未硬化状態において、ビームスプリッタの光軸の位置を調整する調整手段とを備え、
前記調整手段が、ハウジングの前記貫通孔に挿通され、ビームスプリッタの取付対向面に当接してビームスプリッタ光軸の角度を３次元方向に調整させるべく３次元方向に移動する突起棒を有する光ピックアップ装置の組立装置。
【請求項８】
前記調整手段が、前記ハウジングの光学部品取付面と垂直な貫通孔の軸線に対して傾斜する方向に前記突起棒を揺動させる揺動部と、前記軸線の周りに突起棒を公転させる回転部をさらに備える請求項６または７に記載の光ピックアップ装置の組立装置。
【発明の詳細な説明】
【技術分野】
【０００１】
本発明は、光ピックアップ装置、その組立方法およびその組立装置に関する。さらに詳しくは、光ディスクや光磁気ディスクなどの情報記録媒体の情報を再生、消去および記録の何れかが可能な光ピックアップ装置、その組立方法およびその組立装置に関する。
【背景技術】
【０００２】
従来、光ピックアップ装置としては、発光素子と、ビームスプリッタと、コリメートレンズと、立上げミラーと、対物レンズと、受光素子と、これらの各光学部品を収容するハウジングを備えたものが公知である（例えば、特許文献１参照）。この光ピックアップ装置の発光素子から出射されたレーザ光は、ビームスプリッタによって透過あるいは反射される。透過あるいは反射されたレーザ光はコリメートレンズにより平行光にされた後、立上げミラーにより、対物レンズのある上方へ向かって略直角に反射される。反射されたレーザ光は、対物レンズを透過して、略水平に配置された光ディスクの記録面に集光される。集光されたレーザ光は、光ディスクの記録面で反射され、往路とは逆の経路を経て、ビームスプリッタを反射または透過し受光素子に導かれる。そして、受光素子の受光面の受光光量に応じた電気信号が検出され、検出された信号を元にして情報の記録、再生または消去が行われる。
【０００３】
図１１〜図１３は、このような従来の光ピックアップ装置のビームスプリッタのハウジングへの取付構造を示し、図１１は従来の光ピックアップ装置の一部断面側面図であり、図１２は同従来の光ピックアップ装置におけるビームスプリッタを示す要部拡大断面図であり、図１３は同従来の光ピックアップ装置におけるビームスプリッタを示す要部平面図である。
【０００４】
この従来の光ピックアップ装置において、ハウジング１００は、その光学取付面（底面）１１１のビームスプリッタ取付位置に、ビームスプリッタ１０３の側面に当接する受け面を有する３個の仮位置決め凸部１１３と３個の支持凸部１１４とが設けられている。ビームスプリッタ１０３は、これら３個の仮位置決め凸部１１３と３個の支持凸部１１４に当接して姿勢位置が決められ、この状態で接着剤Ｓにて貼り付けられている。このビームスプリッタ１０３の貼り付け精度は、３個の仮位置決め凸部１１３と３個の支持凸部１１４の仕上がり精度により管理されており、この位置でビームスプリッタ１０３を接着剤Ｓにより固定することができる。なお、図１１において、符号１０５は立上げミラーを示している。
【０００５】
また、特許文献２では、より高い精度で光ピックアップ装置の立上げ光を設計光軸に合わせるためにビームスプリッタの角度を調整する方法が提案されている。この組立方法においては、ハウジングのビームスプリッタ取付位置に上述と同様の仮位置決め凸部が形成されると共に、中央位置に接着剤を収容する接着剤収容凹部が形成され、さらに、該凹部の周囲に複数の貫通孔が形成される。複数の貫通孔は、組立装置に設けられた昇降可能な突起棒を挿通させるための孔である。
【０００６】
この組立方法では、前記凹部に塗布された接着剤上にビームスプリッタが載置され、かつ仮位置決め凸部にて位置決めされた後、各突起棒にてビームスプリッタの底面である取付対向面を押し引きすることによって、ハウジングの光学部品取付面に対するビームスプリッタの取付対向面の角度を変えて、ビームスプリッタ光軸を設計光軸に一致するよう調整する。そして、調整後、接着剤を硬化させてビームスプリッタをハウジングに固定する。
【０００７】
【特許文献１】特開２０００−２５１３１０号公報
【特許文献２】特開２００４−１６４８０５号公報
【発明の開示】
【発明が解決しようとする課題】
【０００８】
光ピックアップ装置は、小型化、軽量化が求められているとともに、ＢＤ，ＨＤ−ＤＶＤおよびＤＶＤの書き込みに対応することが求められている。このため、光ピックアップ装置全体の立上げ光の光軸角度精度は設計光軸に対して±５分以内に抑える必要があり、このためにハウジング１００の光学部品取付面１１１と平行な揺動方向のビームスプリッタ１０３の光軸角度および光学部品取付面１１１と接近離間する揺動方向のビームスプリッタ３の光軸角度を目標とする設計光軸に対して±５分以内に抑える必要がある。
【０００９】
しかしながら、図９〜図１１に示した方法では、ビームスプリッタ１０３の３個の仮位置決め凸部１１３と３個の支持部１１４の受け面の仕上がり誤差により、スプリッタ光軸角度を目標の±５分以内に管理するのは困難であり、ビームスプリッタ光軸角度を高精度に調整できないという問題があった。
【００１０】
このような問題に対して、特許文献２に記載の組立方法では、ビームスプリッタの取付対向面がハウジングの光学部品取付面と接近離間する揺動方向の光軸角度については高精度に調整することができる。
しかしながら、立上げミラーの取付精度にばらつきが生じた場合、光学部品取付面と平行な揺動方向の光軸角度も調整し、光ピックアップ装置全体の光軸として±５分以内に抑える必要がある。
特許文献２の組立方法では、上述の突起棒による昇降動作は、ビームスプリッタの取付対向面をビームスプリッタ取付面と接近離間する方向に揺動させることのみ作用するため、光学部品取付面と平行な光軸角度を±５分以内に調整することができない。
【００１１】
本発明はこのような問題に鑑みなされたものであり、ビームスプリッタ光軸の位置をより高精度に調整できる光ピックアップ装置、その組立方法およびその組立装置を提供するものである。
【課題を解決するための手段】
【００１２】
かくして、本発明によれば、ハウジングと、このハウジングのビームスプリッタ取付位置に接着剤にて固定されるビームスプリッタと、前記ハウジングのビームスプリッタ取付位置に形成され、前記接着剤の未硬化状態において、突起棒を挿通させビームスプリッタの取付対向面に当接させて３次元方向に移動させることにより、ビームスプリッタ光軸の角度を３次元方向に調整する１つの貫通孔を有する光ピックアップ装置が提供される。
また、本発明の別の観点によれば、上述のハウジングを備えた光ピックアップ装置の組立方法および組立装置が提供される。
【発明の効果】
【００１３】
本発明によれば、光ピックアップ装置を組み立てるに際して、接着剤の未硬化状態において、ビームスプリッタの取付対向面に当接した突起棒を３次元方向（ハウジングの光学部品取付面に対して垂直方向および平行方向）に移動させることにより、ビームスプリッタ光軸の角度を３次元方向に調整することが可能となる。
したがって、ビームスプリッタよりも先に立上げミラーがハウジングに取り付けられ、その取付精度にばらつきを生じていても、光ピックアップ装置全体の光軸の角度を目標に対して高精度な±５分以内に保つことができ、この位置でビームスプッリッタを接着剤により固定することができ、高精度な光ピックアップ装置を得ることができる。また、本発明は、現行の光ピックアップ装置生産工程を大幅に変更することなく、容易に実施することができる。
【発明を実施するための最良の形態】
【００１４】
本発明の光ピックアップ装置は、ハウジングと、このハウジングのビームスプリッタ取付位置に接着剤にて固定されるビームスプリッタと、前記ハウジングのビームスプリッタ取付位置に形成され、前記接着剤の未硬化状態において、突起棒を挿通させビームスプリッタの取付対向面に当接させて３次元方向に移動させることにより、ビームスプリッタ光軸の角度を３次元方向に調整する１つの貫通孔を有することを特徴とする。
【００１５】
本発明の光ピックアップ装置が対象とする情報記録媒体としては、例えばＣＤ、ＣＤ−ＲＯＭ、ＤＶＤ−ＲＯＭ、ＣＤ−Ｒ、ＣＤ−ＲＷ、ＤＶＤ−Ｒ、ＤＶＤ−ＲＷ、ＤＶＤ＋Ｒ、ＤＶＤ＋ＲＷ、ＤＶＤ−ＲＡＭ、ＢＤ、ＨＤ−ＤＶＤを挙げることができ、特に光学部品の高い取付精度を要求する書き込み可能なＤＶＤ−Ｒ、ＤＶＤ−ＲＷ、ＤＶＤ＋Ｒ、ＤＶＤ＋ＲＷ、ＤＶＤ−ＲＡＭ、ＢＤ、ＨＤ−ＤＶＤ等に対して本発明のピックアップを好適に使用することができる。
【００１６】
本発明において、光ピックアップ装置のハウジングの光学部品取付面に取り付けられる複数の光学部品としてビームスプリッタ以外には、1個または２個のレーザ光源、コリメートレンズ、立上げミラー、波長板、対物レンズ、1個または２個の光検出部等を挙げることができる。
【００１７】
本発明は、別の観点によれば、前記光ピックアップ装置を組み立てる光ピックアップ装置の組立方法であって、（１）立上げミラーよりも先にビームスプリッタをハウジングに組付ける場合の組立方法と、（２）立上げミラーをハウジングに組付けた後にビームスプリッタを組付ける場合の組立方法が提供される。
【００１８】
前記（１）の光ピックアップ装置の組立方法は、前記ハウジングのビームスプリッタ取付位置に接着剤を塗布する接着剤塗布工程と、接着剤を介してハウジングのビームスプリッタ取付位置にビームスプリッタを仮位置決め状態で設置するビームスプリッタ設置工程と、接着剤の未硬化状態においてビームスプリッタ光軸の位置を調整する調整工程とを備え、前記調整工程が、ビームスプリッタに投光しその反射面で反射した光を検出しながら、ハウジングの前記貫通孔に前記突起棒を挿通させ、突起棒をビームスプリッタの取付対向面に当接させながら３次元方向に移動させることにより、ビームスプリッタ光軸の角度を３次元方向に調整するものである。
【００１９】
つまり、ビームスプリッタに光源から光を入射させてビームスプリッタの反射面で反射させた反射光を光検出手段で検出して、モニタなどの画面表示を見ながら、ビームスプリッタ光軸の角度を目標である設計光軸に対して±５分以内に合わせるようにしてビームスプリッタの位置を調整するため、この調整を容易にかつ高精度に行うことができる。なお、前記突起棒は、後述の光ピックアップ組立装置に備えられたものである。
【００２０】
一方、前記（２）の光ピックアップ装置の組立方法は、前記ハウジングのビームスプリッタ取付位置に接着剤を塗布する接着剤塗布工程と、接着剤を介してハウジングのビームスプリッタ取付位置にビームスプリッタを仮位置決め状態で設置するビームスプリッタ設置工程と、接着剤の未硬化状態においてビームスプリッタ光軸の位置を調整する調整工程とを備え、前記調整工程が、前記立上げミラーに投光しその反射光をビームスプリッタに入射させ、ビームスプリッタ反射面にて反射した光を反射ミラーに照射し、反射ミラーで反射した逆光をビームスプリッタにて反射させ、かつ立上げミラーにて反射させて検出しながら、ハウジングの前記貫通孔に突起棒を挿通させ、突起棒をビームスプリッタの取付対向面に当接させながら３次元方向に移動させることにより、ビームスプリッタ光軸の角度を３次元方向に調整するものである。
【００２１】
この組立方法によれば、ビームスプリッタよりも先に立上げミラーをハウジングに組付ける組立工程を採用することができ、ビームスプリッタの組付けに際して、立上げミラーに対してビームスプリッタの位置調整を行うことで立上げミラーの位置調整を簡素化または省略し、光ピックアップ装置全体としての光軸を高精度に（目標に対して±５分以内に）調整することができる。
【００２２】
本発明は、さらに別の観点によれば、前記（１）の場合の光ピックアップ装置の組立装置と、前記（２）の場合の光ピックアップ装置の組立装置とが提供される。以下、この組立装置を光ピックアップ組立装置と称する。
【００２３】
前記（１）の場合の光ピックアップ組立装置は、前記ハウジングを支持する支持手段と、接着剤を介してハウジングのビームスプリッタ取付位置に仮位置決め状態で設置された前記ビームスプリッタに投光する投光手段と、この投光手段にて投光されビームスプリッタの反射面で反射した反射した光を検出する反射光検出手段と、接着剤の未硬化状態において、ビームスプリッタ光軸の角度を調整する調整手段とを備え、前記調整手段が、ハウジングの前記貫通孔に挿通され、ビームスプリッタの取付対向面に当接してビームスプリッタ光軸の角度を３次元方向に調整させるべく３次元方向に移動する前記突起棒を有するものである。
【００２４】
前記支持手段としては、例えばハウジングの周縁部を保持して下面（取付対向面）を浮かせるような支持構造であれば特に限定されない。
投光手段としては、光ピックアップ装置に使用されるのと同じ半導体レーザが用いられる。反射光検出手段としては、液晶モニタ等の画像表示装置にて反射光の位置が確認できるように、ＣＣＤカメラなどの受光デバイスが用いられる。
【００２５】
前記調整手段としては、１本の突起棒と、ハウジングの光学部品取付面に対して垂直な貫通孔の軸線に対して傾斜する方向に前記突起棒を揺動させる揺動部と、貫通孔の軸線の周りに突起棒を公転させる回転部とを備えた構成とすることができる。
【００２６】
揺動部としては、例えば、突起棒を垂直方向に保持するホルダ部と、このホルダ部を一方向に揺動可能に保持する第１ステージと、この第１ステージを前記一方向と直角な方向に揺動可能に保持する第２ステージと、前記ホルダ部を第１ステージに対して揺動させる第１ギア部および第１ギア部を手動にて駆動させる第１調整ノブと、前記第１ステージを第２ステージに対して揺動させる第２ギア部および第２ギア部を手動にて駆動させる第２調整ノブとを備えたゴニオステージ機構を採用することができる。
このゴニオステージ機構によれば、ハウジングの光学部品取付面に垂直な貫通孔の軸心上（垂直状態の突起棒の軸心上）にある１点を中心として突起棒が揺動し傾斜することができる。つまり、突起棒の先端部は、光学部品取付面に対して平行方向に移動しながら垂直方向にも移動することができる。
なお、揺動部の機構は、突起棒をこのように動作させ得るものであればこのゴニオステージ機構に限定されるものではない。
【００２７】
また、回転部としては、垂直状態の突起棒の軸心と一致する軸心廻りに第２ステージを一方向および逆方向に回転可能に保持する回転台と、第２ステージを回転台に対して一方向および逆方向に回転させる第３ギア部および第３ギア部を手動にて駆動させる第３調整ノブとを備えたスイベル機構を採用することができる。
このスイベル機構によれば、突起棒が貫通孔の軸心上にある垂直状態であれば突起棒をその軸心廻りに自転させることができ、突起棒が貫通孔の軸心に対して傾斜した状態であればその傾斜状態のまま貫通孔の軸心の周りを公転することができる。
【００２８】
前記（２）の場合の光ピックアップ組立装置は、前記ハウジングを支持する支持手段と、接着剤を介してハウジングのビームスプリッタ取付位置に仮位置決め状態で設置された前記ビームスプリッタに投光する投光手段と、この投光手段にて投光され前記立上げミラーを回折してビームスプリッタに入射し、ビームスプリッタの反射面を反射した光をビームスプリタに向けて反射する反射ミラーと、前記投光手段と一体状に設けられ、かつ前記反射ミラーからビームスプリッタおよび立上げミラーを経由する逆光を検出する逆光検出手段と、接着剤の未硬化状態において、ビームスプリッタの光軸の位置を調整する調整手段とを備え、前記調整手段が、ハウジングの前記貫通孔に挿通され、ビームスプリッタの取付対向面に当接してビームスプリッタ光軸の角度を３次元方向に調整させるべく３次元方向に移動する突起棒を有するものである。
この場合、支持手段および調整手段としては、前記（１）と同様の構成とすることができる。
以下、図面を参照しながら本発明の実施形態を詳説する。
【００２９】
[実施形態１]
図１は本発明の実施形態１の光ピックアップ装置を示す平面図であり、図２は実施形態１の光ピックアップ装置を示す一部断面側面図であり、図３は実施形態１におけるハウジングを示す平面図である。なお、図１と図２において、ｉ，ｒは設計上のレーザ光I、Ｒの設計光軸を表し、図２において、Ｄは光ディスクを表している。
【００３０】
この実施形態１の光ピックアップ装置は、底壁と周壁とを有する長方形容器形のハウジング１０と、ハウジング１０の光学部品取付面１１の所定取付位置に取り付られるレーザ光源１、２、ビームスプリッタ３、コリメートレンズ４、立上ミラー５およびレンズホルダ７にて保持された対物レンズ６とを備えている。ＤＶＤ，ＣＤの２レーザ光ピックアップ装置の場合、レーザ光源１には、赤外レーザが、レーザ光源２には赤レーザが用いられる。
【００３１】
また、ハウジング１０の光学部品取付面１１において、レーザ光Ｉ、Ｒの設計光軸ｉ、ｒの交点を略中心とするビームスプリッタ取付位置には、ビームスプリッタ３を当接させて位置決めさせる３個の仮位置決め凸部１３と、後述する１本の突起棒を挿通させるための１個の貫通孔１４が設けられている。なお、ビームスプリッタ取付位置における貫通孔１４の周辺領域が、ビームスプリッタ３をハウジング１０に接着する接着剤の塗布領域となる。
【００３２】
３個の仮位置決め凸部１３のうち、２個の仮位置決め凸部１３は、その当り面１３ａがレーザ光Iの設計光軸iに対して直角な方向に向いて線対称に配置され、残りの１個の仮位置決め凸部１３は、その当り面１３ａがレーザ光Ｒの設計光軸ｒに対して直角な方向に向いて、かつ設計光軸ｒを挟んで他の仮位置決め凸部１３と反対側に配置されている。この３個の仮位置決め凸部１３の各当り面１３ａに、立方体型のビームスプリッタ３の隣接する２側面が接近して、配置されることにより、ビームスプリッタ３がハウジング１０の光学部品取付面１１の所定位置に仮位置決め可能となる。なお、この仮位置決め凸部１３は、ビームスプリッタ取付位置にビームスプリッタ３を大まかに配置できるものとして設けられているものであり、ビームスプリッタ３の位置を規制するものではない。
【００３３】
図４は、この光ピックアップ装置を組み立てる光ピックアップ組立装置を示す側面図であって、ハウジングへのビームスプリッタの取付調整中の状態を表し、図５は、この光ピックアップ組立装置の突起棒によりビームスプリッタのハウジングへの取付調整中の状態を示す設計光軸ｉと直角な方向からみた要部拡大断面図であり、図６は、この光ピックアップ組立装置の突起棒によりビームスプリッタのハウジングへの取付調整中の状態を示す設計光軸ｒと直角な方向からみた要部拡大断面図である。
この光ピックアップ組立装置は、ハウジング１０を支持する支持手段と、接着剤の未硬化状態において、ビームスプリッタ３の光軸の角度を調整する調整手段とを備えた装置本体Ｍと、図示省略の支持手段にて所定位置に支持された投光手段６１、逆光検出手段６３および反射ミラー６２（図９参照）を備えている。
【００３４】
具体的に説明すると、支持手段は、ベース３１と、このベース上３１上に立設され、ハウジング１０の周縁部の複数箇所を支持する支持壁３２とを備える。
調整手段は、ハウジング１０の１個の貫通孔１４に挿通され、ビームスプリッタ取付対向面３ａに当接する突起棒４０と、突起棒４０を保持しつつ揺動傾斜させる揺動部としてのゴニオステージ機構４１と、ゴニオステージ機構４１を保持しつつ回転させる回転部としてのスイベル機構５１とを備えている。
【００３５】
ゴニオステージ機構４１は、突起棒４０を保持するホルダ部４２と、このホルダ部４２を一方向に傾斜可能に保持する第１ステージ４３と、この第１ステージ４３を前記一方向と直角な方向に傾斜可能に保持する第２ステージ４４と、ホルダ部４３を第１ステージ４３に対して揺動傾斜させる第１ギア部４５および第１ギア部４５を手動にて駆動させる第１調整ノブ４６と、第１ステージ４３を第２ステージ４４に対して揺動傾斜させる第２ギア部４７および第２ギア部４７を手動にて駆動させる第２調整ノブ４８とを備える。
【００３６】
ホルダ部４２は、円弧凸曲面状の下面１４２ａおよび平滑な上面を有する揺動ステージ部１４２ｂと、揺動ステージ部１４２ｂの前記上面に固定されて突起棒４０を上面に対して垂直に保持する突起棒固定部１４２ｃとからなる。
【００３７】
第１ステージ４３は、板状であって、その上面のセンター位置に、前記ホルダ部４２の揺動ステージ部１４２ｂを受け入れて前記下面１４２ａと摺接する円弧凹曲面部１４３ａが形成されている。この円弧凹曲面部１４３ａは、後述の第１ギア部４５が設けられるスペースのために連続的な凹曲面ではなく、中央部分が段差をもってやや陥没している。
また、第１ステージ４３の下面のセンター位置には、ホルダ部４２の揺動ステージ部１４２ｂと同様の形状の円弧凸部１４３ｂが形成されている。この円弧凸部１４３ｂは円弧凹曲面部１４３ａの長手方向と直角な方向に延びている。さらに、第１ステージ４３の下面における円弧凸部１４３ｂを挟んだ両側領域も円弧凸曲面とされている。
【００３８】
第１ギア部４５は、ホルダ部４２における揺動ステージ部１４２ｂの下面１４２ａの中央部分に凸曲面に沿って設けられたラックギア４５ａと、このラックギア４５ａと噛合するようにして第１ステージ４３の凹曲面部１４３ａの中央部に配置されたウォームギア４５ｂとからなる。
第１調整ノブ４６は、ノブ本体と、第１ステージ４３に形成されたシャフト孔に挿入されてノブ本体と前記ウォームギア４５ｂとを連結する連結シャフトとからなる。
【００３９】
第２ステージ４４は、板状であって、その上面に、第１ステージ４３の下面の円弧凸曲面を受け入れて摺接する第１円弧凹曲面部が形成されると共に、この第１円弧凹曲面部のセンター位置に、第１ステージ４３の円弧凸部１４３ｂを受け入れる第２円弧凹曲面部が形成されている。この第２円弧凹曲面部は、後述の第２ギア部４７が設けられるスペースのために、円弧凸部１４３ｂとの間に隙間が形成される深さとされている。
また、第２ステージ４４の下面であって、垂直状態の突起棒４０の軸心と一致する軸心上には、後述の回転台の軸孔に挿入される軸部４４ａが形成されている。
【００４０】
第２ギア部４７は、第１ステージ４３における円弧凸部１４３ｂの円弧凸曲面の中央部分に沿って設けられたラックギア４７ａと、このラックギア４７ａと噛合するようにして第２ステージ４４の第２凹曲面部の中央部に配置されたウォームギア４７ｂとからなる。
第２調整ノブ４８は、ノブ本体と、第２ステージ４４に形成されたシャフト孔に挿入されてノブ本体と前記ウォームギア４７ｂとを連結する連結シャフトとからなる。
【００４１】
スイベル機構５１は、ベース３１上に固定され、第２ステージ４４の前記軸部４４ａを挿入する前記軸孔５２ａを有し、第２ステージ４４を回転可能に支持する前記回転台５２と、第２ステージ４４を回転台５２に対して回転させる第３ギア部５３および第３ギア部５３を手動にて駆動させる第３調整ノブ５４とを備える。
【００４２】
第３ギア部５３は、第２ステージ４４の軸部４４ａに同一軸心上の連結シャフトを介して取り付けられたギア５３ａと、このギア５３ａと噛合するようにして回転台５２の内部に配置されたウォームギア５３ｂとからなる。
第３調整ノブ５４は、ノブ本体と、回転台５２に形成されたシャフト孔に挿入されてノブ本体と前記ウォームギア５３ｂとを連結する連結シャフトとからなる。
【００４３】
このように構成された光ピックアップ組立装置は、ハウジング１０が設置された組立開始状態においては、例えば図４に示すように、突起棒４０の先端はハウジング１０の貫通孔１４の中心に挿通され、第１調整ノブ４６が設計光軸ｉ側に、第２調整ノブ４８が設計光軸ｒ側に配置された初期位置にセットされる（図１および図２参照）。なお、本明細書においては、光ピックアップ組立装置の動作が理解しやすいように組立開始状態を仮に前記のようにセットした場合を例示するが、組立開始状態はこれに限定されない。
【００４４】
この組立開始状態から、第１調整ノブ４６を回すことにより、ウォームギア４５ｂが同方向に回転してラックギア４５ａが設計光軸ｉの方向に移動し、それによって揺動ステージ部１４２ｂが第１ステージ４３の凹曲面部１４３ａを摺接しながら同方向に揺動して上面が傾斜し、それに伴って図５よおび図７に示すように突起棒４０が設計光軸ｉの方向に揺動傾斜する。つまり、突起棒４０は、設計光軸ｉ上で、かつハウジング１０の光学部品取付面１１と垂直な面に沿って２次元方向に移動する。
このとき、例えばラックギア４５ａの両端が第１ステージ４３の凹曲面部１４３ａの前記段差に突き当たって揺動ステージ部１４２ｂの移動が規制されるよう構成することにより、突起棒４０がハウジング１０の貫通孔１４の周縁部に衝突することを回避することができる。なお、図７において、二点鎖線は貫通孔１４の中心位置からずれた突起棒４０の先端部を表している。
【００４５】
また、前記組立開始状態から、第２調整ノブ４８を回すことにより、ウォームギア４７ｂが同方向に回転してラックギア４７ａが設計光軸ｒの方向に移動し、それによって第１ステージ４３が第２ステージ４４の凹曲面部を摺接しながら同方向に揺動し、それに伴って図６および図７に示すように突起棒４０が設計光軸ｒの方向に揺動傾斜する。つまり、突起棒４０は、設計光軸ｒ上で、かつハウジング１０の光学部品取付面１１と垂直な面に沿って２次元方向に移動する。
このとき、例えば第１ステージ４３の円弧凸部１４３ｂの両端が第２ステージ４４の第２凹曲面部の両端面に突き当たって第１ステージ４３の移動が規制されるよう構成することにより、突起棒４０がハウジング１０の貫通孔１４の周縁部に衝突することを回避することができる。
【００４６】
また、前記組立開始状態から、第３調整ノブ５４を回すことにより、ウォームギア５３ｂが同方向に回転してギア５３ａが回転し、それによって垂直状態の突起棒４０の軸心と一致する軸心を回転中心として第２ステージ４４、第１ステージ４３、ホルダ部４２が回転し、突起棒４０が貫通孔１４の軸心廻りに自転する。
また、上述のように第１調整ノブ４６を回して突起棒４０を設計光軸ｉの方向に揺動傾斜させた状態、または第２調整ノブ４８を回して突起棒４０を設計光軸ｒの方向に揺動傾斜させた状態、またはこれらの動作を組み合わせた状態とすることにより、突起棒４０の先端部は貫通孔１４の軸心位置からずれるため、この状態から第３調整ノブ５４を回すことにより、突起棒４０の先端部は貫通孔１４の軸心の周りを公転する。つまり、突起棒４０は、ハウジング１０の光学部品取付面１１と平行な２次元方向に回転する。
【００４７】
このように、第１〜第３調整ノブ４６、４８、５４の操作により、突起棒４０の先端部は３次元方向に移動可能であり、この突起棒４０の３次元方向の動きによりビームスプリッタ３の取付対向面３ａを押し引きおよび回転させることが可能となる。これについて詳しくは後述する。
【００４８】
さらに、この光ピックアップ組立装置は、予め立上げミラー５が取付けられたハウジング１０にビームスプリッタ３を取付ける場合に対応することができるように、図９に示すように、接着剤を介してハウジングの光学部品取付位置に設置された立上げミラー５に投光する投光手段６１と、この投光手段６１にて投光され立上げミラー５を回折してビームスプリッタ３に入射し、ビームスプリッタ３の反射面を反射した光Ｌ１（矢印Ａ）をビームスプリッタ３に向けて反射する反射ミラー６２と、前記投光手段６１と一体状に設けられ、かつ反射ミラー６２からビームスプリッタ３および立上げミラー５を経由する逆光Ｌ１（矢印Ｂ）を検出する逆光検出手段６３とがさらに備えられる。この場合、投光手段６１と逆光検出手段６３とは一体型のものとすることができ、例えばオートコリメータを用いることができる。
【００４９】
次に、この光ピックアップ組立装置を用いて、予め立上げミラー５が取り付けられたハウジング１０にビームスプリッタ３を取り付ける場合の組立方法について、図４〜図９を参照しつつ説明する。
Ｓ１：先ず、図４に示すように、光ピックアップ組立装置にハウジング１０を設置する。これにより、突起棒４０の先端がハウジング１０の貫通孔１４に挿入され、光学部品取付面１１よりも僅かに上に突出する。この際、突起棒４０の先端が貫通孔１４の中心に位置にする。
【００５０】
Ｓ２：接着剤塗布工程において、ハウジング１０の光学部品取付面１１におけるビームスプリッタ取付位置の接着剤塗布領域（貫通孔１４の周辺領域）に光硬化性の接着剤Ｓを塗布する。このとき、塗布領域に接着剤を塗布箇所数および塗布量は特に限定されないが、例えば、塗布箇所数としては３箇所、４箇所または貫通孔１４を囲むリング状として１箇所が適当であり、塗布量としてはビームスプリッタ３を確実に固定でき、かつ貫通孔１４やビームスプリッタ取付位置から接着剤がはみ出さない量に設定することが適当である。
【００５１】
Ｓ３：ビームスプリッタ設置工程において、接着剤Ｓの上からビームスプリッタ３を押し付けつつ、３個の仮位置決め凸部１３の当り面１３ａにビームスプリッタ３の側面２面を接近して配置し、仮位置とした状態で設置する。
【００５２】
Ｓ４：ビームスプリッタ位置調整工程において、一体化された投光手段６１および逆光検出手段６３（受発光および光学部品ユニット）を立上げミラー５の上方所定位置に配置し、かつ反射ミラー６２をビームスプリッタ３の側方所定位置に配置し、その後、投光手段６１にて矢印Ａ方向のレーザ光Ｌ１を立上げミラー５に投光する。これにより、レーザ光Ｌ１が立上げミラー５を反射し、その反射した光Ｌ１がビームスプリッタ３に入射して反射面３ｂにて反射し、その反射した光Ｌ１が反射ミラー６２に照射し、反射ミラー６２を反射した矢印Ｂ方向の逆光Ｌ１はビームスプリッタ３にて反射し、立上げミラー５にて反射して逆光検出手段６３に入射する。
【００５３】
この逆光Ｌ１を逆光検出手段６３にて検出し、液晶モニタにより画像表示させる。この液晶モニタには、設計光軸ｉ、ｒと実際のビームスプリッタ光軸とが表示されている。そして、液晶モニタの画像を見ながら、第１〜第３調整ノブ４６、４８、５４を操作することにより、突起棒４０の先端部を３次元方向に移動させてビームスプリッタ３の位置調整を行う。
【００５４】
このとき、図５に示すように、第１調整ノブ４６の操作によって突起棒４０が揺動傾斜することにより、ハウジング１０の光学部品取付面１１に対してビームスプリッタ３の取付対向面３ａが接近離間する方向であって、立上げミラー５に対して前傾するまたは後へ反る状態に揺動するため、光学部品取付向面１１に対する取付対向面３ａの角度、すなわち設計光軸ｉに対するビームスプリッタ光軸の角度を±５分以内に微調整することができる。
【００５５】
また、図６に示すように、第２調整ノブ４８の操作によって突起棒４０が揺動傾斜することにより、ハウジング１０の光学部品取付面１１に対してビームスプリッタ３の取付対向面３ａが接近離間する方向であって、立上げミラー５に対して略平行な状態に揺動するため、光学部品取付向面１１に対する取付対向面３ａの角度、すなわち設計光軸ｒに対するビームスプリッタ光軸の角度を±５分以内に微調整することができる。
【００５６】
さらに、図８に示すように、第３調整ノブ５４の操作によって突起棒４０が貫通孔１４の軸心の周りを公転しながらビームスプリッタ３の取付対向面を摺動することにより、ビームスプリッタ３が貫通孔１４の略軸心廻りに回動するため、平面的に見た設計光軸ｉおよび設計光軸ｒに対するビームスプリッタ光軸の角度を±５分以内に微調整することができる。
【００５７】
Ｓ５：ビームスプリッタ光軸が設計光軸ｉ、ｒに±５分以内で一致したと判断すれば、この状態でビームスプリッタ３の上方からＵＶ照射機にて紫外線を接着剤Ｓに照射して、接着剤Ｓを速やかに硬化させる。
Ｓ６：ハウジング１０を光ピックアップ組立装置から取上げる。
【００５８】
本発明によれば、ハウジング１０の光学部品取付面１１と平行な揺動方向のビームスプリッタ光軸角度およびハウジング１０の光学部品取付面１１と接近離間する揺動方向のビームスプッリッタ光軸角度を、目標とする設計光軸ｉ、ｒに対して高精度（±５分以内）に保つことができ、この位置でビームスプリッタを接着剤により固定することができ、高精度な光ピックアップ装置を得ることができる。
【００５９】
（実施形態２）
前記実施形態１（図９参照）では、予め立上げミラー５が取付けられたハウジング１０にビームスプッリッタ３を位置調整して設置する場合について説明したが、この実施形態２では、立上げミラーよりも先にビームスプッリッタ３をハウジング１０に位置調整して設置する場合に対応する。
【００６０】
この実施形態２における光ピックアップ組立装置は、実施形態１と同様の装置本体Ｍを備えると共に、図１０に示すように、図示省略の支持手段にて所定位置に配置されてビームスプリッタに投光する投光手段７１と、この投光手段７１にて投光されビームスプリッタ３の反射面３ｂで反射した光Ｌ２を検出する反射光検出手段７２とを備えている。投光手段７１としては、光ピックアップ装置に使用されるのと同じ半導体レーザを用いることができる。反射光検出手段７２としては、液晶モニタにて画像を見ることができるようにＣＣＤカメラを用いることができる。
【００６１】
この実施形態２の光ピックアップ組立装置を用いる組立方法では、上述した実施形態１の組立方法の前記ステップＳ４のみが異なり、その他は同じである。このステップＳ４と異なるステップＳ４ａは以下の如くである。
Ｓ４ａ：ビームスプリッタ位置調整工程において、投光手段７１をビームスプリッタ３の側方所定位置に配置し、かつ反射光検出手段７２をビームスプリッタ３の後方所定位置（例えば立上げミラー取付位置付近）に配置し、その後、投光手段７１にてビームスプリッタ３に投光する。これにより、矢印Ｃ方向のレーザ光Ｌ２がビームスプリッタ３の反射面３ｂで反射し、その反射した光Ｌ２が反射光検出手段６２にて入射する。この反射光Ｌ２を反射光検出手段６２にて検出し、液晶モニタにより画像表示させる。そして、液晶モニタの画像を見ながら、ビームスプリッタ光軸を設計光軸に一致させるように、第１〜第３調整ノブ４６、４４、５４を選択的に操作してビームスプリッタ３を微動させる。
この実施形態２においても、実施形態１と同様に、高精度な光ピックアップ装置を得ることができる。
【００６２】
（他の実施形態）
１．上記実施形態では、ビームスプリッタの一側面に２個の仮位置決め凸部を接近して配置し、ビームスプリッタの前記一側面に隣接する他側面に１個の仮位置決め凸部を接近して配置するよう、仮位置決め凸部を３箇所に配置した場合を例示したが、これには限定されず、ビームスプリッタの隣接する前記一側面と他側面に接近して配置するものであればよいため、例えば前記一側面と他側面に接近して配置する平面視Ｌ字型の仮位置決め凸部を１箇所に設ける、あるいは、仮位置決め凸部を２箇所に設けるようにしてもよい。また、上記仮位置決め凸部の形状は、特に限定されるものではなく、角柱形以外にも、例えば円柱形、楕円柱形等でもよい。また、ビームスプリッタの仮固定の際に、ビームスプリッタを把持した後、当該箇所に精度よく設置できるよう設計された外部機構があれば、前記の仮位置決め凸部は必ずしも必要としない。
２．ハウジングのビームスプリッタ取付位置の接着剤を塗布する箇所に、接着剤を収容する凹部を形成してもよい。この凹部は、接着剤がビームスプリッタにより押し付けられたときの接着剤の広がり形状を一定にするものであり、それによりビームスプリッタのハウジングへの接着力のばらつきを低減することができる。
【図面の簡単な説明】
【００６３】
【図１】本発明の実施形態１の光ピックアップ装置を示す平面図である。
【図２】実施形態１の光ピックアップ装置を示す一部断面側面図である。
【図３】実施形態１におけるハウジングを示す平面図である。
【図４】実施形態１の光ピックアップ装置を組み立てる光ピックアップ組立装置を示す側面図であって、ハウジングへのビームスプリッタの取付調整中の状態を表す。
【図５】実施形態１の光ピックアップ組立装置の突起棒によりビームスプリッタのハウジングへの取付調整中の状態を示す設計光軸ｉと直角な方向からみた要部拡大断面図である。
【図６】実施形態１の光ピックアップ組立装置の突起棒によりビームスプリッタのハウジングへの取付調整中の状態を示す設計光軸ｒと直角な方向からみた要部拡大断面図である。
【図７】実施形態１における光ピックアップ組立装置の突起棒が貫通孔内で移動する状態を説明する図である。
【図８】実施形態１の光ピックアップ組立装置の突起棒によりビームスプリッタのハウジングへの取付調整中の状態を示す平面的に見た図である。
【図９】実施形態１における光ピックアップの組立方法を説明する説明図である。
【図１０】実施形態２における光ピックアップの組立方法を説明する説明図である。
【図１１】従来の光ピックアップ装置の一部断面側面図である。
【図１２】同従来の光ピックアップ装置におけるビームスプリッタを示す要部拡大断面図である。
【図１３】同従来の光ピックアップ装置におけるビームスプリッタを示す要部平面図である。
【符号の説明】
【００６４】
３  ビームスプリッタ
３ａ  取付対向面
３ｂ  反射面
５  立上げミラー
１０  ハウジング
１１  光学部品取付面
１３  仮位置決め凸部
１４  貫通孔
４０  突起棒
６１、７１  投光手段
６２  反射ミラー
６３  逆光検出手段
７２  反射光検出手段
ｉ、ｒ  設計光軸
Ｓ  接着剤
【図１】
2008269701.tif 000003
【図２】
2008269701.tif 000004
【図３】
2008269701.tif 000005
【図４】
2008269701.tif 000006
【図５】
2008269701.tif 000007
【図６】
2008269701.tif 000008
【図７】
2008269701.tif 000009
【図８】
2008269701.tif 000010
【図９】
2008269701.tif 000011
【図１０】
2008269701.tif 000012
【図１１】
2008269701.tif 000013
【図１２】
2008269701.tif 000014
【図１３】
2008269701.tif 000015